(57)【要約】【課題】ダイプレクサにおいて、Ｔｘポートとして機能するポートと、Ｒｘポートとして機能するポートとの間のアイソレーションを高めること。【解決手段】ダイプレクサ（１）は、第１の周波数帯域を通過帯域とする第１及び第２のフィルタ（１２，１３）が並列に配列されてなるフィルタ対（１１）と、フィルタ対（１１）の一方の側及び他方の側にそれぞれ接続された第１及び第２の方向性結合部（２１，３１）と、第１の方向性結合部（２１）のフィルタ対（１１）と逆側のポート（第３のポート２１３）に接続され、第２の周波数帯域を通過帯域とする第３のフィルタ（４１）と、を備えている。【選択図】図１
2018164178.tif 000002
【特許請求の範囲】
【請求項１】
第１の周波数帯域を通過帯域とする第１のフィルタ及び第２のフィルタであって、それぞれが第１のポート及び第２のポートを有する第１のフィルタ及び第２のフィルタが並列に配列されてなるフィルタ対と、
並列に配置された第１のポート及び第２のポート、並びに、並列に配置された第３のポート及び第４のポートを有する第１の方向性結合部であって、前記第１のポートが前記第１のフィルタの第１のポートに接続され、且つ、前記第２のポートが前記第２のフィルタの第１のポートに接続された第１の方向性結合部と、
並列に配置された第１のポート及び第２のポート、並びに、並列に配置された第３のポート及び第４のポートを有する第２の方向性結合部であって、前記第１のポートが前記第１のフィルタの前記第２のポートに接続され、且つ、前記第２のポートが前記第２のフィルタの前記第２のポートに接続された第２の方向性結合部と、
前記第１の周波数帯域とは異なる第２の周波数帯域を通過帯域とする第３のフィルタであって、第１のポート及び第２のポートを有し、当該第１のポートが前記第１の方向性結合部の前記第３のポートに接続された第３のフィルタと、を備えている、
ことを特徴とするダイプレクサ。
【請求項２】
前記第１の方向性結合部の前記第４のポートは、アンテナを接続するためのアンテナポートであり、
前記第３のフィルタの前記第２のポートは、受信回路を接続するためのＲｘポートであり、
前記第２の方向性結合部の前記第３のポートは、送信回路を接続するためのＴｘポートである、
ことを特徴とする請求項１に記載のダイプレクサ。
【請求項３】
前記第１のフィルタ、前記第２のフィルタ、及び前記第３のフィルタは、それぞれ、互いに直接又は他の共振器を介して結合している第１の共振器及び第２の共振器を備えており、
前記第１の方向性結合部及び前記第２の方向性結合部は、開口が形成された第１の狭壁を共有し、且つ、上記第１の狭壁に対向する第２の狭壁をそれぞれが有する第１の矩形導波路と第２の矩形導波路とを備えており、
前記フィルタ対、前記第３のフィルタ、前記第１の方向性結合部、及び前記第２の方向性結合部の各々を構成する導波路は、単一の誘電体基板の両面に設けられた一対の導体層の各々を第１の広壁及び第２の広壁とし、前記誘電体基板を貫通する複数の導体ポストからなるポスト壁を狭壁とするポスト壁導波路である、
ことを特徴とする請求項１又は２に記載のダイプレクサ。
【請求項４】
前記第１の方向性結合部の前記第４のポートに対して結合された第１の変換部と、前記第３のフィルタの前記第２のポートに対して結合された第２の変換部と、前記第２の方向性結合部の前記第３のポートに対して結合された第３の変換部と、前記第２の方向性結合部の前記第４のポートに対して結合された第４の変換部と、を更に備え、
前記第１〜第４の変換部の各々を構成する導波路は、前記一対の導体層の各々を第１の広壁及び第２の広壁とし、前記誘電体基板を貫通する複数の導体ポストからなるポスト壁を狭壁とするポスト壁導波路であり、
前記第１〜第４の変換部の各々の前記第１の広壁には、開口が設けられており、
前記第１〜第４の変換部の各々は、
当該変換部の前記第１の広壁の表面に形成された誘電体層であって、当該第１の広壁の前記開口に重畳する開口を有する誘電体層と、
前記誘電体層の表面に形成された信号線であって、その一端部が当該第１の広壁の前記開口及び前記誘電体層の前記開口に重畳した信号線と、
前記誘電体層の表面に形成された電極であって、前記誘電体層に設けられたビアを介して当該第１の広壁と導通する電極と、
前記信号線の前記一端部に電気的に接続され、前記誘電体基板の内部に形成されたブラインドビアと、を更に備えている、
ことを特徴とする請求項３に記載のダイプレクサ。
【請求項５】
前記第４の変換部は、当該第４の変換部の信号線の他端部と当該第４の変換部の電極とを導通させる抵抗器を更に備えている、
ことを特徴とする請求項４に記載のダイプレクサ。
【請求項６】
前記第１のフィルタ、前記第２のフィルタ、及び前記第３のフィルタは、それぞれ、直接又は他の共振器を介して結合している第１の共振器及び第２の共振器を備えており、
前記第１の方向性結合部及び前記第２の方向性結合部は、開口が形成された第１の狭壁を共有し、且つ、上記第１の狭壁に対向する第２の狭壁をそれぞれが有する第１の矩形導波路と第２の矩形導波路とを備えており、
前記フィルタ対、前記第３のフィルタ、前記第１の方向性結合部、及び前記第２の方向性結合部の各々を構成する導波路は、金属製の導波管により構成されている、
ことを特徴とする請求項１又は２に記載のダイプレクサ。
【発明の詳細な説明】
【技術分野】
【０００１】
本発明は、ダイプレクサに関する。
【背景技術】
【０００２】
ＦＤＤ（Frequency Division Duplex）方式を採用する無線通信機器や、レーダ装置などにおいては、１つのアンテナ回路を送信回路と受信回路とで共用した状態で、マイクロ波やミリ波である高周波信号を送受信することが求められる。この要望を満たすために、ダイプレクサが利用されている。
【０００３】
ダイプレクサは、送信回路、受信回路、及びアンテナ回路を接続するためのインターフェースである変換部と、一方の導波路と他方の導波路とを結合させる方向性結合部と、透過させる高周波信号の周波数帯域を特定するフィルタとにより構成されている。
【０００４】
例えば、非特許文献１のFigure 18.35には、（１）並列に配列された２つのバンドパスフィルタ（Figure 18.35に記載のRx filter）からなるフィルタ対と、（２）そのフィルタ対の一方の側に配置された方向性結合部（Figure 18.35に記載の90°hybrid）と、（３）そのフィルタ対の他方の側に配置された方向性結合部（Figure 18.35に記載の90°hybrid）と、を組み合わせることによってダイプレクサを実現する技術が記載されている。
【０００５】
このダイプレクサにおいて、一方の側に配置された方向性結合部にはアンテナポートとＴｘポートとが設けられており、他方の側に配置された方向性結合部にはＲｘポートが設けられている。アンテナポートは、送信波及び受信波を送受信するアンテナを接続するためのポートである。Ｔｘポートは、送信波を送信する送信回路を接続するためのポートである。Ｒｘポートは、受信波を受信する受信回路を接続するためのポートである。
【先行技術文献】
【非特許文献】
【０００６】
【非特許文献１】Richard J. Cameron et. al.，MICROWAVE FILTERS for COMMUNICATION SYSTEMS，p.661 - P.663，2007 John Wiley & Sons, Inc.
【発明の概要】
【発明が解決しようとする課題】
【０００７】
しかしながら、非特許文献１のFigure 18.35に記載された従来のダイプレクサには、ＴｘポートとＲｘポートとの間におけるアイソレーションが十分でないという課題がある。送信波の送信及び受信波の受信を同時に行うＦＤＤ方式を採用する無線通信機器や、レーダ装置などにおいて、ＴｘポートとＲｘポートとの間におけるアイソレーションが十分でないということは、受信波が送信波に埋もれてしまうことを意味する。すなわち、受信回路が受信波を処理することができないことを意味する。アンテナが受信した受信波の強度は、送信回路が送信する送信波の強度と比較して著しく低いためである。
【０００８】
本発明の一態様は、アンテナポート、Ｔｘポート、及びＲｘポートの各々として使用可能なポートを備えたダイプレクサにおいて、Ｔｘポートとして使用可能なポートと、Ｒｘポートとして使用可能なポートとの間のアイソレーションを高めることである。
【課題を解決するための手段】
【０００９】
上記の課題を解決するために、本発明の一態様に係るダイプレクサは、第１の周波数帯域を通過帯域とする第１のフィルタ及び第２のフィルタであって、それぞれが第１のポート及び第２のポートを有する第１のフィルタ及び第２のフィルタが並列に配列されてなるフィルタ対と、並列に配置された第１のポート及び第２のポート、並びに、並列に配置された第３のポート及び第４のポートを有する第１の方向性結合部であって、前記第１のポートが前記第１のフィルタの第１のポートに接続され、且つ、前記第２のポートが前記第２のフィルタの第１のポートに接続された第１の方向性結合部と、並列に配置された第１のポート及び第２のポート、並びに、並列に配置された第３のポート及び第４のポートを有する第２の方向性結合部であって、前記第１のポートが前記第１のフィルタの前記第２のポートに接続され、且つ、前記第２のポートが前記第２のフィルタの前記第２のポートに接続された第２の方向性結合部と、前記第１の周波数帯域とは異なる第２の周波数帯域を通過帯域とする第３のフィルタであって、第１のポート及び第２のポートを有し、当該第１のポートが前記第１の方向性結合部の前記第３のポートに接続された第３のフィルタと、を備えている、ことを特徴としている。
【００１０】
上述のように構成されたダイプレクサは、４つのポート、すなわち、（１）第１の方向性結合部の第４のポートと、（２）第３のフィルタの第２のポートと、（３）第２の方向性結合部の第３のポートと、（４）第２の方向性結合部の第４のポートと、を備えている。これらの４つのポートのうち、（ｉ）１つのポート（例えば第１の方向性結合部の第４のポート）は、アンテナポートとして使用可能であり、（ｉｉ）別のポート（例えば第３のフィルタの第２のポート）は、Ｔｘポート又はＲｘポートとして使用可能であり、（ｉｉｉ）更に別のポート（例えば第２の方向性結合部の第３のポート）は、Ｒｘポート又はＴｘポートとして使用可能である。上記（ｉｉ）のポートをＴｘポートとして使用する場合、上記（ｉｉｉ）のポートは、Ｒｘポートとして使用可能であり、上記（ｉｉ）のポートをＲｘポートとして使用する場合、上記（ｉｉｉ）のポートは、Ｔｘポートとして使用可能である。
【００１１】
本ダイプレクサは、第３のフィルタを備えているため、従来のダイプレクサと比較して、第３のフィルタの第２のポートと、第２の方向性結合部の第３のポート及び第４のポートとの間のアイソレーションを高めることができる。すなわち、Ｔｘポートとして使用可能なポートと、Ｒｘポートとして使用可能なポートとの間のアイソレーションを高めることができる。
【００１２】
また、本発明の一態様に係るダイプレクサにおいて、前記第１の方向性結合部の前記第４のポートは、アンテナを接続するためのアンテナポートであり、前記第３のフィルタの前記第２のポートは、受信回路を接続するためのＲｘポートであり、前記第２の方向性結合部の前記第３のポートは、送信回路を接続するためのＴｘポートである、
ことが好ましい。
【００１３】
上述のように構成されたダイプレクサにおいて、第１の方向性結合部の第４のポートは、アンテナポートとして使用可能であり、第３のフィルタの第２のポートは、Ｒｘポートとして使用可能であり、第２の方向性結合部の第３のポートは、Ｔｘポートとして使用可能である。アンテナポートである第１の方向性結合部の第４のポートに入力された受信波は、Ｒｘポートである第３のフィルタの第２のポートから出力される。Ｔｘポートである第２の方向性結合部の第３のポートから入力された送信波は、アンテナポートである第１の方向性結合部の第４のポートから出力される。本ダイプレクサは、ＲｘポートとＴｘポートとの間におけるアイソレーションを更に高めることができる。
【００１４】
また、本発明の一態様に係るダイプレクサにおいて、前記第１のフィルタ、前記第２のフィルタ、及び前記第３のフィルタは、それぞれ、互いに直接又は他の共振器を介して結合している第１の共振器及び第２の共振器を備えており、前記第１の方向性結合部及び前記第２の方向性結合部は、開口が形成された第１の狭壁を共有し、且つ、上記第１の狭壁に対向する第２の狭壁をそれぞれが有する第１の矩形導波路と第２の矩形導波路とを備えており、前記フィルタ対、前記第３のフィルタ、前記第１の方向性結合部、及び前記第２の方向性結合部の各々を構成する導波路は、単一の誘電体基板の両面に設けられた一対の導体層の各々を第１の広壁及び第２の広壁とし、前記誘電体基板を貫通する複数の導体ポストからなるポスト壁を狭壁とするポスト壁導波路である、
ことが好ましい。
【００１５】
このように構成されたダイプレクサにおいて、フィルタ対、第１の方向性結合部、第２の方向性結合部、及び第３のフィルタの各々は、単一の誘電体基板と、この誘電体基板の両面に設けられた一対の導体層とを用いて作製されている。すなわち、このダイプレクサは、フィルタ対、第１の方向性結合部、第２の方向性結合部、及び第３のフィルタの各々を、ポスト壁導波路技術を用いることによって１つデバイスに統合したダイプレクサである。
【００１６】
したがって、当該ダイプレクサは、金属製の導波管により構成されたダイプレクサと比較して、小型化及び軽量化を図ることができる。
【００１７】
また、本発明の一態様に係るダイプレクサは、前記第１の方向性結合部の前記第４のポートに対して結合された第１の変換部と、前記第３のフィルタの前記第２のポートに対して結合された第２の変換部と、前記第２の方向性結合部の前記第３のポートに対して結合された第３の変換部と、前記第２の方向性結合部の前記第４のポートに対して結合された第４の変換部と、を更に備え、前記第１〜第４の変換部の各々を構成する導波路は、前記一対の導体層の各々を第１の広壁及び第２の広壁とし、前記誘電体基板を貫通する複数の導体ポストからなるポスト壁を狭壁とするポスト壁導波路であり、前記第１〜第４の変換部の各々の前記第１の広壁には、開口が設けられており、前記第１〜第４の変換部の各々は、当該変換部の前記第１の広壁の表面に形成された誘電体層であって、当該第１の広壁の前記開口に重畳する開口を有する誘電体層と、前記誘電体層の表面に形成された信号線であって、その一端部が当該第１の広壁の前記開口及び前記誘電体層の前記開口に重畳した信号線と、前記誘電体層の表面に形成された電極であって、前記誘電体層に設けられたビアを介して当該第１の広壁と導通する電極と、前記信号線の前記一端部に電気的に接続され、前記誘電体基板の内部に形成されたブラインドビアと、を更に備えている、ことが好ましい。
【００１８】
上記の構成によれば、第１〜第４の変換部の各々の信号線は、第１の広壁とともにマイクロストリップ線路を構成する。当該マイクロストリップ線路と、当該変換部の導波路とは、ブラインドビアを介して電磁気的に結合している。したがって、当該変換部は、その導波路を伝搬する高周波信号のモードを、マイクロストリップ線路を伝搬する高周波信号のモードに変換することができる。
【００１９】
また、当該変換部の誘電体層の表面には、第１の広壁と導通している電極が信号線とともに設けられている。したがって、本発明の一態様に係るダイプレクサは、従来のダイプレクサと比較して、当該変換部に対して、様々な回路（例えば、送信回路、受信回路、及びアンテナ）を容易に実装することができる。
【００２０】
また、本発明の一態様に係るダイプレクサにおいて、前記第４の変換部は、当該第４の変換部の信号線の他端部と当該第４の変換部の電極とを導通させる抵抗器を更に備えている、ことが好ましい。
【００２１】
上記の構成によれば、抵抗器を用いて、第４の変換部の信号線の他端と電極とを容易に導通させることができる。すなわち、第４の変換部を容易に終端することができる。この終端された変換部は、終端されていない変換部（信号線の他端が解放されたままの変換部）と比較して、反射を抑制することができる。したがって、この終端された第４の変換部は、第１〜第３の変換部の何れかから入力された高周波信号が第４の変換部において反射され、ダイプレクサの内部に反射信号として戻ることを抑制することができる。
【００２２】
また、本発明の一態様に係るダイプレクサにおいて、前記第１のフィルタ、前記第２のフィルタ、及び前記第３のフィルタは、それぞれ、直接又は他の共振器を介して結合している第１の共振器及び第２の共振器を備えており、前記第１の方向性結合部及び前記第２の方向性結合部は、開口が形成された第１の狭壁を共有し、且つ、上記第１の狭壁に対向する第２の狭壁をそれぞれが有する第１の矩形導波路と第２の矩形導波路とを備えており、前記フィルタ対、前記第３のフィルタ、前記第１の方向性結合部、及び前記第２の方向性結合部の各々を構成する導波路は、金属製の導波管により構成されている、
ことが好ましい。
【００２３】
アンテナポートに接続するアンテナのポート、Ｔｘポートに接続する送信回路のポート、及びＲｘポートに接続する受信回路の各々ポートが金属製の導波管により構成されている場合に、上記の構成を好適に用いることができる。アンテナポート、Ｔｘポート、及びＲｘポートの各々が金属製の導波管により構成されていることによって、金属製の導波管によってポートが構成されたアンテナ、送信回路、及び受信回路の各々と本ダイプレクサとを接続した場合の反射損失を抑制することができる。
【発明の効果】
【００２４】
本発明の一態様によれば、アンテナポート、Ｔｘポート、及びＲｘポートの各々として使用可能なポートを備えたダイプレクサにおいて、Ｔｘポートとして使用可能なポートと、Ｒｘポートとして使用可能なポートとの間のアイソレーションを高めることができる。
【図面の簡単な説明】
【００２５】
【図１】本発明の第１の実施形態に係るダイプレクサのブロック図である。
【図２】（ａ）及び（ｂ）は、それぞれ、図１に示したダイプレクサの第１の接続例及び第２の接続例のブロック図である。
【図３】本発明の第２の実施形態に係るダイプレクサの斜視図である。
【図４】本発明の第２の実施形態に係るダイプレクサの平面図である。
【図５】（ａ）は、本発明の第２の実施形態に係るダイプレクサが備えている変換部の平面図である。（ｂ）は、（ａ）に示した変換部の断面図である。
【図６】（ａ）は、本発明の第２の実施形態に係るダイプレクサが備えている終端部の平面図である。（ｂ）は、（ａ）に示した終端部の断面図である。
【図７】（ａ）、（ｂ）及び（ｃ）は、それぞれ、本発明の第３の実施形態に係るダイプレクサが備えている方向性結合部、フィルタ対、及びフィルタの斜視図である。
【図８】（ａ）及び（ｂ）は、それぞれ、本発明の第１の実施例及び第２の実施例により得られたＳパラメータを示すグラフである。
【図９】（ａ）及び（ｂ）は、それぞれ、本発明の第３の実施例及び第４の実施例により得られたＳパラメータを示すグラフである。
【図１０】（ａ）及び（ｂ）は、それぞれ、本発明の第１の比較例及び第２の比較例により得られたＳパラメータを示すグラフである。
【発明を実施するための形態】
【００２６】
〔第１の実施形態〕
本発明の第１の実施形態に係るダイプレクサについて、図１及び図２を参照して説明する。図１は、本実施形態に係るダイプレクサ１のブロック図である。図２の（ａ）及び（ｂ）は、それぞれ、ダイプレクサ１の第１の接続例及び第２の接続例のブロック図である。
【００２７】
（ダイプレクサ１の構成）
図１に示すように、ダイプレクサ１は、フィルタ対１１、方向性結合部２１、方向性結合部３１、及びバンドパスフィルタ（ＢＰＦ）４１を備えている。方向性結合部２１は、請求の範囲に記載の第１の方向性結合部に対応し、方向性結合部３１は、請求の範囲に記載の第２の方向性結合部に対応する。ＢＰＦ４１は、請求の範囲に記載の第３のフィルタに対応する。
【００２８】
フィルタ対１１は、請求の範囲に記載の第１のフィルタに対応するＢＰＦ１２、及び、請求の範囲に記載の第２のフィルタに対応するＢＰＦ１３が並列に配列してなる。ＢＰＦ１２は、第１のポート１２１、及び第２のポート１２２を有している。ＢＰＦ１３は、第１のポート１３１、及び第２のポート１３２を有している。ＢＰＦ４１は、第１のポート４１１、及び第２のポート４１２を有している。ＢＰＦ１２及びＢＰＦ１３は、第１の周波数帯域を通過帯域とする。一方、ＢＰＦ４１は、第１の周波数帯域とは異なる第２の周波数帯域を通過帯域とする。ＢＰＦ１２、ＢＰＦ１３、及びＢＰＦ４１のそれぞれにおける電波の通過帯域については後述する。
【００２９】
方向性結合部２１は、互いに並列に配置された第１のポート２１１及び第２のポート２１２、並びに、互いに並列に配置された第３のポート２１３及び第４のポート２１４を有している。第１のポート２１１は第１のポート１２１と接続されており、第２のポート２１２は第１のポート１３１と接続されており、第３のポート２１３は第１のポート４１１と接続されている。
【００３０】
方向性結合部３１は、互いに並列に配置された第１のポート３１１及び第２のポート３１２、並びに、互いに並列に配置された第３のポート３１３及び第４のポート３１４を有している。第１のポート３１１は第２のポート１２２と接続されており、第２のポート３１２は第２のポート１３２と接続されている。
【００３１】
本実施形態において、方向性結合部２１のポート２１４のことをダイプレクサ１の第１のポートＰ１と称し、ＢＰＦ４１のポート４１２のことをダイプレクサ１の第２のポートＰ２と称し、方向性結合部３１のポート３１３及びポート３１４のことを、それぞれ、ダイプレクサ１の第３のポートＰ３及び第４のポートＰ４と称する。
【００３２】
（接続例）
図２の（ａ）に、ダイプレクサ１の第１の接続例を示す。図２の（ａ）に示すように、ダイプレクサ１は、第１のポートＰ１に対してアンテナ１０１を接続し、第２のポートＰ２に対して受信回路（Ｒｘ）１０２を接続し、第３のポートＰ３に対して送信回路（Ｔｘ）１０３を接続した状態で運用可能である。なお、第４のポートＰ４は、終端部７０を用いて終端されている終端部７０については、図６を参照して後述する。
【００３３】
第１の接続例のようにアンテナ１０１、Ｒｘ１０２、及びＴｘ１０３を接続した状態で運用する場合、フィルタ対１１をなすＢＰＦ１２，１３の通過帯域は、Ｔｘ１０３が送信する送信波の周波数帯域を包含し、ＢＰＦ４１の通過帯域は、Ｒｘ１０２が受信する受信波の周波数帯域を包含する。
【００３４】
以下において、７０ＧＨｚ以上９０ＧＨｚ未満の周波数帯域（通称Ｅバンド）のうち、７０ＧＨｚ以上８０ＧＨｚ未満の周波数帯域のことをローバンドと呼び、８０ＧＨｚ以上９０ＧＨｚ未満の周波数帯域のことをハイバンドと呼ぶ。
【００３５】
Ｒｘ１０２が受信する受信波の周波数帯域である第１の周波数帯域がハイバンドに含まれており、Ｔｘ１０３が送信する送信波の周波数帯域である第２の周波数帯域がローバンドに含まれているとする。この場合、ＢＰＦ４１は、ハイバンドに含まれる第１の周波数を通過帯域とするように構成されており、ＢＰＦ１２，１３は、ローバンドに含まれる第２の周波数帯域を通過帯域とするように構成されていればよい。第１の周波数帯域の例としては、８１−８６ＧＨｚ帯（中心周波数８３．５ＧＨｚ）が挙げられ、第２の周波数帯域の例としては、７１−７６ＧＨｚ帯（中心周波数７３．５ＧＨｚ）が挙げられる。
【００３６】
逆に、第１の周波数帯域がローバンドに含まれており、第２の周波数帯域がハイバンドに含まれているとする。この場合、ＢＰＦ４１は、ローバンドに含まれる第１の周波数を通過帯域とするように構成されており、ＢＰＦ１２，１３は、ハイバンドに含まれる第２の周波数を通過帯域とするように構成されていればよい。第１の周波数帯域の例としては、７１−７６ＧＨｚ帯（中心周波数７３．５ＧＨｚ）が挙げられ、第２の周波数帯域の例としては、８１−８６ＧＨｚ帯（中心周波数８３．５ＧＨｚ）が挙げられる。
【００３７】
ダイプレクサ１がＢＰＦ４１を備えていることによって、ダイプレクサ１は、従来のダイプレクサと比較して、第２のポートＰ２と第３のポートＰ３との間のアイソレーションを高めることができる。
【００３８】
なお、図２の（ｂ）に示す第２の接続例のように、第２のポートＰ２に対して送信回路Ｔｘを接続し、第３のポートＰ３に対して受信回路Ｒｘを接続した場合においても、ダイプレクサ１は、従来のダイプレクサと比較して、第２のポートＰ２と第３のポートＰ３との間のアイソレーションを高めることができる。
【００３９】
第２の接続例のようにアンテナ１０１、Ｒｘ１０２、及びＴｘ１０３を接続した状態で運用する場合、ＢＰＦ１２，１３は、受信波の含まれる帯域を通過帯域とするように構成されており、ＢＰＦ４１は、送信波の含まれる帯域を通過帯域とするように構成されていればよい。
【００４０】
〔第２の実施形態〕
本発明の第２の実施形態に係るダイプレクサについて、図３〜図６を参照して説明する。本実施形態に係るダイプレクサ１は、第１の実施形態に係るダイプレクサ１の第１の構成例であり、ポスト壁導波路の技術を用いて実現される。以下において特に断りがない場合、ダイプレクサ１は、本実施形態のダイプレクサ１を意味する。図３は、ダイプレクサ１の斜視図である。図４は、ダイプレクサ１の平面図である。図５の（ａ）は、ダイプレクサ１が備えている変換部５０Ａ，５０Ｂの平面図である。図５の（ｂ）は、変換部５０Ａの断面図であり、より詳しくは、図５の（ａ）に図示した直線ＤＤに沿った断面における断面図である。図６の（ａ）は、ダイプレクサ１が備えている終端部７０の平面図である。図６の（ｂ）は、終端部７０の断面図であり、より詳しくは、図６の（ａ）に図示した直線ＥＥに沿った断面図である。
【００４１】
（ダイプレクサ１の構成）
図３に示すように、ダイプレクサ１は、単一の誘電体基板である基板２と、導体層３と、導体層４と、誘電体層５とを備えている。
【００４２】
基板２は、フィルタ対１１、方向性結合部２１，３１、及びＢＰＦ４１に共通する、石英製の単一の基板である。以下において、基板２を構成する６つの表面のうち、面積が最も大きな２つの表面を基板２の主面と称す。なお、基板２は、石英製に限定されるものではなく、石英以外のガラス材料製であってもよいし、ポリテトラフルオロエチレン（例えばテフロン（登録商標）として知られる）及び液晶ポリマーなどの樹脂材料又はセラミックス材料であってもよい。
【００４３】
基板２には、その表面から裏面まで貫通する複数の貫通孔が規則的に形成されている。これら複数の貫通孔の内壁には、金属製（例えば銅製）の導体膜が筒状に形成されている。すなわち、貫通孔の内部には金属製の導体ポストが形成されている。本実施形態において、導体ポストの直径は１００ミクロンであり、隣接する導体ポスト同士の間隔（中心間距離）は、２００ミクロンである。
【００４４】
このように規則的な柵状に配置された複数の導体ポストは、基板２の内部を伝搬する電磁波である高周波信号を反射するポスト壁として機能する。すなわち、ポスト壁は、一種の導体壁として機能する。これら複数の導体ポストは、フィルタ対１１、方向性結合部２１，３１、及びＢＰＦ４１の各々を構成する狭壁を構成する。フィルタ対１１、方向性結合部２１，３１、及びＢＰＦ４１の各々において、複数のポスト壁がどのような形状に配置されているかについては、参照する図を代えて後述する。
【００４５】
導体層３及び導体層４は、基板２の両面に、すなわち、基板２の２つの主面上に設けられた一対の導体層である。基板２、導体層３、及び導体層４は、基板２が導体層３，４によって挟持された積層構造を有する。本実施形態では、導体層３，４を構成する導体として銅を採用するが、他の導体（例えばアルミニウムなどの金属）であってもよい。導体層３，４の厚さは限定されるものではなく、任意の厚さを採用することができる。すなわち、導体層３，４の態様は、薄膜であってもよいし、箔（フィルム）であってもよいし、板であってもよい。
【００４６】
フィルタ対１１、方向性結合部２１，３１、及びＢＰＦ４１の各々を構成する導波路は、導体層３を第１の広壁とし、導体層４を第２の広壁とする。導体層３，４は、請求の範囲に記載の一対の導体層に対応する。
【００４７】
以上のように、フィルタ対１１、方向性結合部２１，３１、及びＢＰＦ４１の各々は、上述した狭壁と、一対の広壁とによって六方のうちの四方を囲まれている。
【００４８】
誘電体層５は、第１の広壁である導体層３の表面に形成された、ポリイミド樹脂製の導体層である。なお、誘電体層５を構成する材料は、ポリイミド樹脂以外の樹脂材料製であってもよい。
【００４９】
以下、ダイプレクサ１を構成する、フィルタ対１１、方向性結合部２１，３１、及びＢＰＦ４１の構成について、図４を参照して具体的に説明する。
【００５０】
（フィルタ対１１）
図１を参照して上述したように、フィルタ対１１は、第１のフィルタであるＢＰＦ１２と、第２のフィルタであるＢＰＦ１３とが並列に配置されたものである。ＢＰＦ１２とＢＰＦ１３とは、狭壁１４を共有する。また、ＢＰＦ１２は、狭壁１４に対向する狭壁１２３を備えている。同様に、ＢＰＦ１３は、狭壁１４に対向する狭壁１３３を備えている。
【００５１】
（ＢＰＦ１２）
ＢＰＦ１２は、一対の広壁を構成する導体層３，４と、一対の狭壁である狭壁１４，１２３とにより四方を囲まれた導波路（矩形導波路）の一種である。ＢＰＦ１２は、第１の周波数帯域を通過帯域とするように設計されたバンドパスフィルタである。
【００５２】
ＢＰＦ１２を構成する６面のうち、導体層３，４と狭壁１４，１２３とによって構成された面を除いた２面（ＢＰＦ１２の両端面）は、ＢＰＦ１２の外部とＢＰＦ１２とを電磁気的に接続する第１のポート１２１及び第２のポート１２２として機能する。以下においては、第１のポート１２１及び第２のポート１２２の各々を単にポート１２１及びポート１２２とも記載する。
【００５３】
図４に示すように、ＢＰＦ１２の内部には、６つの隔壁である隔壁１２ａ，１２ｂ，１２ｃ，１２ｄ，１２ｅ，１２ｆがそれぞれ形成されている。隔壁１２ａ，１２ｂ，１２ｃ，１２ｄ，１２ｅ，１２ｆの各々は、導体層３，４に対して交わり（本実施形態では直交し）、且つ、狭壁１４，１２３に対して交わる（本実施形態では直交する）ように形成されている。すなわち、隔壁１２ａ，１２ｂ，１２ｃ，１２ｄ，１２ｅ，１２ｆの各々は、図４に図示した座標系におけるｚｘ平面に沿って形成されている。
【００５４】
隔壁１２ａ，１２ｂ，１２ｃ，１２ｄ，１２ｅ，１２ｆの各々は、ＢＰＦ１２を７つの区間に分割する。７つの区間とは、ポート１２１を含む区間と、ポート１２２を含む区間と、ポート１２１を含む区間及びポート１２２を含む区間に挟まれた５つの区間である。５つの区間の各々の形状は、導体層３，４の一部を上底壁及び下底壁とし、狭壁１４，１２３の一部と隣接する２つの隔壁（例えば隔壁１２ａ，１２ｂ）とを側壁とする直方体である。したがって、５つの区間の各々は、共振器として機能する。したがって、５つの区間の各々のことを共振器１２４，１２５，１２６，１２７，１２８と称する。
【００５５】
隔壁１２ａには、開口１２ａａが設けられている。開口１２ａａは、ポート１２１を含む区間と共振器１２４とを電磁気的に結合させる誘導性窓として機能する。ポート１２１を含む区間と共振器１２４との結合の強さは、開口１２ａａの幅に依存する。開口１２ａａの幅を広げれば広げるほど、ポート１２１を含む区間と共振器１２４との結合は、強くなる。
【００５６】
開口１２ａａと同様に、隔壁１２ｂには開口１２ｂａが、隔壁１２ｃには開口１２ｃａが、隔壁１２ｄには開口１２ｄａが、隔壁１２ｅには開口１２ｅａが、隔壁１２ｆには開口１２ｆａが、それぞれ設けられている。開口１２ｂａは、共振器１２４と共振器１２５とを電磁気的に結合させ、開口１２ｃａは、共振器１２５と共振器１２６とを電磁気的に結合させ、開口１２ｄａは、共振器１２６と共振器１２７とを電磁気的に結合させ、開口１２ｅａは、共振器１２７と共振器１２８とを電磁気的に結合させ、開口１２ｆａは、共振器１２８とポート１２２とを電磁気的に結合させる誘導性窓として機能する。
【００５７】
共振器１２４及び共振器１２８の各々は、それぞれ、請求の範囲に記載の第１の共振器及び第２の共振器である。本実施形態において、共振器１２４と共振器１２８とは、共振器１２５〜１２７を介して結合している。しかし、ダイプレクサ１は、少なくとも２つの共振器（共振器１２４及び共振器１２８）を備えていればよい。共振器１２４と共振器１２８は、直接結合されていてもよいし、他の共振器を介して間接的に結合されていてもよい。すなわち、ダイプレクサ１が備えている共振器の数は、２個以上であればよい。
【００５８】
ＢＰＦ１２の通過帯域は、フィルタが含む共振器の数（ダイプレクサ１では５つ）や、各共振器のサイズや、隣接する共振器間に生じる結合の強さなどをパラメータとして制御することができる。これらのパラメータを調整することによって、所望の周波数帯域である第１の周波数帯域を通過帯域とするバンドパスフィルタを設計することができる。
【００５９】
隔壁１２ａ，１２ｂ，１２ｃ，１２ｄ，１２ｅ，１２ｆの各々は、狭壁１４，１２３と同じように、複数の導体ポストを柵状に配置することによって構成されている。また、上述した複数の導体ポストの一部を省略することによって、この導体ポストの一部を省略した部分は、開口１２ａａ，１２ｂａ，１２ｃａ，１２ｄａ，１２ｅａ，１２ｆａの各々として機能する。開口１２ａａ，１２ｂａ，１２ｃａ，１２ｄａ，１２ｅａ，１２ｆａの各々の幅は、省略するポストの本数により制御することができる。また、隔壁１２ａ，１２ｂ，１２ｃ，１２ｄ，１２ｅ，１２ｆの各々を構成する導体ポストのうち開口１２ａａ，１２ｂａ，１２ｃａ，１２ｄａ，１２ｅａ，１２ｆａの両端部を構成する導体ポストの位置は、開口１２ａａ，１２ｂａ，１２ｃａ，１２ｄａ，１２ｅａ，１２ｆａの各々の幅（設計時の幅）に応じて微調整することができる。
【００６０】
本実施形態において、開口１２ａａ，１２ｂａ，１２ｃａ，１２ｄａ，１２ｅａ，１２ｆａの各々の幅は、ポート１２１及びポート１２２から遠ざかるにしたがって、すなわち、ＢＰＦ１２の中央に近づくにしたがって、狭くなるように構成されている。
【００６１】
このように構成されたＢＰＦ１２は、ポート１２１に対してＢＰＦ１２の外部から結合された高周波信号を、ポート１２２に向かって伝搬する過程において、所定の周波数帯域の含まれる周波数の高周波信号を透過させ、当該所定の周波数帯域に含まれない周波数の高周波信号を反射する。したがって、ＢＰＦ１２は、上記所定の周波数帯域に含まれる周波数の高周波信号を透過させるバンドパスフィルタ（ＢＰＦ）として機能する。
【００６２】
（ＢＰＦ１３）
ＢＰＦ１３は、ＢＰＦ１２と同じ構成を有する。したがって、ここではＢＰＦ１３とＢＰＦ１２との対応関係を示すにとどめ、その詳細な説明を省略する。
【００６３】
ＢＰＦ１３は、一対の広壁を構成する導体層３，４と、狭壁である狭壁１４，１３３とにより四方を囲まれた導波路（矩形導波路）の一種である。
【００６４】
ＢＰＦ１３を構成する６面のうち、導体層３，４と狭壁１４，１３３とによって囲まれていない２面（ＢＰＦ１３の両端面）は、第１のポート１３１及び第２のポート１３２として機能する。以下においては、第１のポート１３１及び第２のポート１３２の各々を単にポート１３１及びポート１３２とも記載する。
【００６５】
図４に示すように、（１）ＢＰＦ１３の狭壁１３３は、ＢＰＦ１２の狭壁１２３に対応し、（２）ＢＰＦ１３のポート１３１、ポート１３２、及び共振器１３４〜１３８は、それぞれ、ＢＰＦ１２のポート１２１、ポート１２２、及び共振器１２４〜１２８に対応する。ＢＰＦ１３の内部に設けられた６つの隔壁である隔壁１３ａ，１３ｂ，１３ｃ，１３ｄ，１３ｅ，１３ｆの各々は、それぞれ、ＢＰＦ１２の隔壁１２ａ，１２ｂ，１２ｃ，１２ｄ，１２ｅ，１２ｆの各々に対応する。隔壁１３ａ，１３ｂ，１３ｃ，１３ｄ，１３ｅ，１３ｆの各々に、それぞれ形成された開口１３ａａ，１３ｂａ，１３ｃａ，１３ｄａ，１３ｅａ，１３ｆａは、それぞれ、ＢＰＦ１２の開口１２ａａ，１２ｂａ，１２ｃａ，１２ｄａ，１２ｅａ，１２ｆａに対応する。
【００６６】
（方向性結合部２１）
図４に示すように、方向性結合部２１は、第１の矩形導波路である導波路２２と、第２の矩形導波路である導波路２３とを有している。導波路２２と導波路２３とは、長手方向の中央に開口２４ａが形成された狭壁２４（第１の狭壁）を共有している。また、導波路２２，２３の各々は、それぞれ、狭壁２４に対向する狭壁２２１，２３１（第２の狭壁）を有する。すなわち、導波路２２及び導波路２３は、狭壁２２１，２３１，２４が複数の導体ポストを柵状に配置することによって構成されているポスト壁導波路である。
【００６７】
導波路２２において、一対の広壁は、導体層３，４によって構成されている。また、導波路２２において、狭壁２４及び狭壁２２１の各々は、それぞれ、複数の導体ポストによって構成されている。同様に、導波路２３において、一対の広壁は、導体層３，４によって構成されている。また、一対の狭壁である狭壁２４及び狭壁２３１の各々は、複数の導体ポストによって構成されている。
【００６８】
狭壁２２１，２３１，２４を構成する導体ポストの各々は、フィルタ対１１を構成する導体ポストの各々と同様に構成されている。
【００６９】
方向性結合部２１は、第１のポートであるポート２１１、第２のポートであるポート２１２、第３のポートであるポート２１３、及び第４のポートであるポート２１４を備えている。ポート２１１は、導波路２２の一方の端部に設けられており、ポート２１４は、導波路２２の他方の端部に設けられている。ポート２１２は、導波路２３の一方の端部に設けられており、ポート２１３は、導波路２３の他方の端部に設けられている。すなわち、ポート２１１及びポート２１２は並列に配置されており、且つ、ポート２１３及びポート２１４は並列に配置されている。ポート２１１は、ＢＰＦ１２のポート１２１に接続されており、ポート２１２は、ＢＰＦ１３のポート１３１に接続されている。
【００７０】
開口２４ａの両端に位置する導体ポスト同士の間隔は、他よりも広い。開口２４ａは、導波路２２と導波路２３とを結合させる誘導性窓として機能する。狭壁２４に開口２４ａが形成されていることによって、例えば第１のポート２１１に結合された高周波信号は、第１のポート２１１から第４のポート２１４へ伝搬する過程において、開口２４ａを介して導波路２２から導波路２３にも分布するようになる。その結果、第１のポート２１１に結合された高周波信号は、第４のポート２１４に加えて第３のポート２１３にも到達する。
【００７１】
開口２４ａの幅や、導波路２２，２３の形状などを最適化することによって、導波路２２と導波路２３との間に生じる結合の結合度を３ｄＢにすることができる。方向性結合部２１は、結合度が３ｄＢである３ｄＢ型の方向性結合部である。３ｄＢ型の方向性結合部においては、例えば、第１のポート２１１に高周波信号を結合させた場合に、第４のポート２１４に到達する高周波信号の電界強度と、第３のポート２１３に到達する高周波信号の電界強度とがほぼ等しくなる。
【００７２】
導波路２２は、突出部２２１ａを備えている。突出部２２１ａは、狭壁２２１のうち開口２４ａに対して対向している部分の一部から開口２４ａに向かって、ｘ軸正方向に沿う方向に突出している。同様に、導波路２３は、突出部２３１ａを備えている。突出部２３１ａは、狭壁２３１のうち開口２４ａに対して対向している部分の一部から開口２４ａに向かって、ｘ軸負方向に沿う方向に突出している。
【００７３】
また、導波路２２は、狭壁２４における、開口２４ａよりもポート２１１側と、開口２４ａよりもポート２１４側との、開口２４ａに対して対称な位置に形成された突出部２４ｂ及び突出部２４ｃを備えている。突出部２４ｂ，２４ｃは、いずれも、狭壁２４から狭壁２２１に向かって突出している一対の突出部である。同様に、導波路２３は、狭壁２４における、開口２４ａよりもポート２１２側と、開口２４ａよりもポート２１３側との、開口２４ａに対して対称な位置に形成された突出部２４ｄ、及び突出部２４ｅを備えている。突出部２４ｄ，２４ｅは、いずれも、狭壁２４から狭壁２３１に向かって突出している一対の突出部である。
【００７４】
方向性結合部２１が突出部２２１ａ，２３１ａと、一対の突出部２４ｂ，２４ｃと、一対の突出部２４ｄ，２４ｅとを備えていることによって、方向性結合部２１は、動作帯域における反射損失を抑制することができる。
【００７５】
なお、方向性結合部２１の構成は、図４に示した形態に限定されるものではない。すなわち、ポスト壁導波路の技術を用いて作製した方向性結合部であれば、如何なる方向性結合部であっても方向性結合部２１として採用することができる。
【００７６】
（方向性結合部３１）
方向性結合部３１は、方向性結合部２１と同一に構成されている。したがって、ここでは方向性結合部３１と方向性結合部２１との対応関係を示すにとどめ、その詳細な説明を省略する。
【００７７】
方向性結合部３１は、第１の矩形導波路である導波路３２と、第２の矩形導波路である導波路３３とを有している。方向性結合部３１の導波路３２，３３の各々は、それぞれ、方向性結合部２１の導波路２２，２３の各々に対応している。すなわち、方向性結合部３１の狭壁３４，３２１，３３１の各々は、それぞれ、方向性結合部２１の狭壁２４，２２１，２３１の各々に対応する。狭壁３４に設けられた開口３４ａは、狭壁２４に設けられた開口２４ａに対応する。方向性結合部３１は、方向性結合部２１と同様に３ｄＢ型の方向性結合部である。
【００７８】
方向性結合部３１は、第１のポートであるポート３１１、第２のポートであるポート３１２、第３のポートであるポート３１３、及び第４のポートであるポート３１４を備えている。ポート３１１〜３１４は、それぞれ、方向性結合部２１のポート２１１〜２１４に対応する。ポート３１１は、ＢＰＦ１２のポート１２２に接続されており、ポート３１２は、ＢＰＦ１３のポート１３２に接続されている。
【００７９】
方向性結合部３１が備えている突出部３２１ａ，３３１ａは、方向性結合部２１が備えている突出部２２１ａ，２３１ａに対応している。また、方向性結合部３１が備えている一対の突出部３４ｂ，３４ｃ、及び、一対の突出部３４ｄ，３４ｅは、それぞれ、方向性結合部２１が備えている一対の突出部２４ｂ，２４ｃ、及び、一対の突出部２４ｄ，２４ｅに対応している。
【００８０】
（ＢＰＦ４１）
ＢＰＦ４１は、第２の周波数帯域を通過帯域とするバンドパスフィルタである。ＢＰＦ１２及びＢＰＦ１３が第１の周波数帯域を通過帯域とするように設計されているのに対して、ＢＰＦ４１は、第２の周波数帯域を通過帯域とするように設計されている。通過帯域が互いに異なる点を除いて、ＢＰＦ４１は、ＢＰＦ１２，１３と同様に構成されている。したがって、ここではＢＰＦ４１とＢＰＦ１３との対応関係を示すにとどめ、その詳細な説明を省略する。
【００８１】
ＢＰＦ４１は、一対の広壁を構成する導体層３，４と、狭壁である狭壁４２，４１３とにより四方を囲まれた導波路（矩形導波路）の一種である。狭壁４２は、方向性結合部２１の狭壁２４に連続するように設けられた狭壁であり、方向性結合部２１の導波路２３の狭壁の一部を構成する。すなわち、導波路２３と、ＢＰＦ４１とは、狭壁４２を共有する。
【００８２】
ＢＰＦ４１を構成する６面のうち、導体層３，４と狭壁４２，４１３とによって囲まれていない２面（ＢＰＦ４１の両端面）は、第１のポートであるポート４１１及び第２のポートであるポート４１２として機能する。ポート４１１は、方向性結合部２１のポート２１３に結合されている。
【００８３】
したがって、（１）ＢＰＦ４１の狭壁４２，４１３は、ＢＰＦ１３の狭壁１４，１３３に対応し、（２）ＢＰＦ４１の第１のポート４１１、第２のポート４１２、及び共振器４１４〜４１８は、ＢＰＦ１３の第１のポート１３１、第２のポート１３２、及び共振器１３４〜１３８に対応する。
【００８４】
図４に示すように、ＢＰＦ４１の内部には、６つの隔壁４１ａ，４１ｂ，４１ｃ，４１ｄ，４１ｅ，４１ｆが形成されている。したがって、ＢＰＦ４１は、隔壁４１ａ，４１ｂ，４１ｃ，４１ｄ，４１ｅ，４１ｆによって、７つの区間に分割されている。ＢＰＦ４１の隔壁４１ａ，４１ｂ，４１ｃ，４１ｄ，４１ｅ，４１ｆの各々は、それぞれ、ＢＰＦ１３の隔壁１３ａ，１３ｂ，１３ｃ，１３ｄ，１３ｅ，１３ｆの各々に対応する。
【００８５】
すなわち、隔壁４１ａ，４１ｂ，４１ｃ，４１ｄ，４１ｅ，４１ｆの各々には、それぞれ、開口４１ａａ，４１ｂａ，４１ｃａ，４１ｄａ，４１ｅａ，４１ｆａが形成されている。
【００８６】
ＢＰＦ４１の通過帯域は、ダイプレクサ１に接続される送信機及び受信機の動作帯域に応じて、適宜定めればよい。例えば、図２の（ａ）に示すように、第１のポートＰ１、第２のポートＰ２、第３のポートＰ３に、それぞれ、アンテナ１０１、Ｒｘ１０２、Ｔｘ１０３を接続する場合、ＢＰＦ４１は、Ｒｘ１０２の動作帯域に含まれる高周波信号を透過させ、Ｔｘ１０３の動作帯域に含まれる高周波信号を反射するように構成されていればよい。
【００８７】
（変換部）
ダイプレクサ１は、第１のポートＰ１に結合された変換部５０Ａ（図５参照）と、第２のポートＰ２に結合された変換部５０Ｂ（図５参照）と、第３のポートＰ３に結合された変換部と、第４のポートＰ４に結合された終端部７０（図６参照）と、を更に備えている。変換部５０Ａ及び変換部５０Ｂは、それぞれ、請求の範囲に記載された第１の変換部及び第２の変換部である。第３のポートＰ３に結合された変換部は、請求の範囲に記載された第３の変換部である。終端部７０は、請求の範囲に記載された第４の変換部である。また、変換部５０Ｂ及び第３のポートＰ３に結合された変換部は、何れも、変換部５０Ａと同一に構成されている。したがって、以下では、変換部５０Ａ及び終端部７０について説明する。
【００８８】
（変換部５０Ａ）
図５に示すように、変換部５０Ａは、第１のポートであるポート５０１Ａと、第２のポートであるポート５０２Ａとを有している。ポート５０１Ａは、方向性結合部２１の第４のポート２１４に接続されている。
【００８９】
変換部５０Ａは、一対の広壁を構成する導体層３，４と、一対の狭壁である狭壁５３，５１１と、ショート壁５４Ａとによって五方を囲まれた導波路（矩形導波路）を有する。ショート壁５４Ａは、変換部５０Ａの狭壁を構成するポスト壁の１つであるが、互いに対向する一対の狭壁５３，５１１と区別するためにショート壁と称する。ショート壁５４Ａは、ポート５０１Ａと対向している狭壁である。この導波路は、ポスト壁導波路である。ショート壁５４Ａは、狭壁５３，５１１と同様に、複数の導体ポストからなるポスト壁である。
【００９０】
変換部５０Ａの導波路を構成する６面のうち、導体層３，４と、狭壁５１１，５３と、ショート壁５４Ａとによって構成された面を除いた一面（変換部５０Ａの一端面）は、変換部５０Ａの外部と変換部５０Ａとを電磁気的に接続するポート５０１Ａとして機能する。
【００９１】
図５の（ａ）及び（ｂ）に示すように、変換部５０Ａは、誘電体層５と、信号線５５Ａと、パッド５６Ａと、ブラインドビア５７Ａと、電極５８Ａ，５９Ａとを備えている。
【００９２】
誘電体層５は、第１の広壁である導体層３の表面に形成されている。誘電体層５は、導体層３の表面を覆うように形成されている。誘電体層５は、後述する変換部５０Ｂにも共通する単一の誘電体層である。誘電体層５には、変換部５０Ａを構成する導波路と重畳する開口５ａＡが設けられている。
【００９３】
また、変換部５０Ａの第１の広壁である導体層３には、開口５ａＡと重畳する開口３ａＡが設けられている。本実施形態においては、開口３ａＡは、開口５ａＡを包含するように設けられている。開口３ａＡは、アンチパッドとして機能する。以上のように、開口５ａＡ及び開口３ａＡの各々は、変換部５０Ａの導波路と重畳する領域に設けられている。
【００９４】
信号線５５Ａは、誘電体層５の表面に形成された帯状導体である。信号線の一端部は、開口５ａＡを取り囲み、且つ、開口３ａＡと重畳する領域に形成されている。なお、信号線５５Ａと導体層３とは、マイクロストリップ線路を形成する。
【００９５】
パッド５６Ａは、基板２の表面であって、導体層３が設けられている表面に形成された円形の導体層である。パッド５６Ａは、導体層３に設けられた開口３ａＡ内に、導体層３と絶縁された状態で配置されている。
【００９６】
基板２の表面には、導体層３が設けられた表面から、基板２の内部に向かう非貫通孔が形成されている。ブラインドビア５７Ａは、その非貫通孔の内壁に形成された筒上の導体膜からなる。ブラインドビア５７Ａは、信号線５５Ａの一端部に、パッド５６Ａを介して導通するように接続されている。すなわち、ブラインドビア５７Ａは、信号線５５Ａの一端部と電気的に接続されており、基板２の内部に形成されている。
【００９７】
電極５８Ａ，５９Ａは、誘電体層５の表面に形成された電極である。電極５８Ａ，５９Ａの各々は、信号線５５Ａの他端部近傍に、信号線５５Ａの他端部を挟むように配置されている。
【００９８】
誘電体層５の電極５８と重畳する領域には、複数の貫通孔が設けられている。これらの複数の貫通孔には、ビア５８１Ａとして機能する導体が充填されている。ビア５８１Ａは、電極５８Ａと導体層３とを短絡する。
【００９９】
ビア５８１Ａと同様に構成されたビア５９１Ａは、電極５９Ａと導体層３とを短絡する。
【０１００】
このように構成された信号線５５Ａの他端と、電極５８Ａ，５９Ａとは、変換部５０Ａのポート５０２Ａを構成する。変換部５０Ａは、ポート５０１Ａに結合された高周波信号（導波路２２を伝搬してきた高周波信号）のモードを、マイクロストリップ線路である信号線５５Ａ及び導体層３を伝搬する高周波信号のモードに変換することができる。
【０１０１】
図５の（ａ）に示すように、ポート５０２Ａは、マイクロストリップ線路を構成する信号線５５Ａと、信号線５５Ａの他端部を挟み込む接地された電極５８Ａ，５９Ａとにより構成されている。したがって、ポート５０２Ａには、高周波信号を送信する送信回路、高周波信号を受信する受信回路、及び、高周波信号を送信又は受信或いは送受信するアンテナ回路の何れかを容易に接続することができる。なお、信号線５５Ａの他端と、電極５８Ａ，５９Ａの各々との間隔は、ポート５０２Ａに接続される送信回路、受信回路、又はアンテナ回路の端子の形状と整合するように定められていることが好ましい。
【０１０２】
（変換部５０Ｂ）
変換部５０Ｂは、上述した変換部５０Ａと同様に構成されている。したがって、ここでは、変換部５０Ｂと変換部５０Ａとの対応関係を示すに留め、その詳細な説明を省略する。
【０１０３】
図５の（ａ）に示すように、変換部５０Ｂは、ポート５０１Ｂと、ポート５０２Ｂとを有している。変換部５０Ｂのポート５０１Ｂ，５０２Ｂの各々は、それぞれ、変換部５０Ａのポート５０１Ａ，５０２Ａの各々に対応する。ポート５０１Ｂは、ＢＰＦ４１のポート４１２に接続されている。
【０１０４】
変換部５０Ｂは、一対の広壁を構成する導体層３，４と、一対の狭壁である狭壁５３，５２１と、ショート壁５４Ｂとによって五方を囲まれた導波路（矩形導波路）を有する。ショート壁５４Ｂは、変換部５０Ｂの狭壁を構成するポスト壁の１つであるが、互いに対向する一対の狭壁５３，５２１と区別するためにショート壁と称する。ショート壁５４Ｂは、ポート５０１Ｂと対向している狭壁である。この導波路は、ポスト壁導波路である。ショート壁５４Ｂは、狭壁５３，５２１と同様に、複数の導体ポストからなるポスト壁である。
【０１０５】
変換部５０Ｂは、変換部５０Ａの信号線５５Ａと、パッド５６Ａと、ブラインドビア５７Ａと、電極５８Ａ，５９Ａとに対応する構成を備えている。ポート５０２Ｂは、変換部５０Ａの信号線５５Ａに対応する信号線の他端部と、変換部５０Ａの電極５８Ａ，５９Ａに対応する２つの電極により構成されている。
【０１０６】
ポート５０２Ｂには、ポート５０２Ａの場合と同様に、送信回路、受信回路、及びアンテナ回路の何れかを接続することができる。
【０１０７】
（終端部７０）
終端部７０は、終端された変換部である。そのうえで、終端部７０は、反射を抑制する構成を更に備えている。
【０１０８】
図６の（ａ）に示すように、終端部７０は、ポート７０１と、ポート７０２とを有している。終端部７０のポート７０１，７０２の各々は、それぞれ、変換部５０Ａのポート５０１Ａ，５０２Ａの各々に対応する。
【０１０９】
終端部７０は、一対の広壁を構成する導体層３，４と、一対の狭壁である狭壁７１１，７３と、ショート壁７４とによって五方を囲まれた導波路（矩形導波路）を有する。
【０１１０】
終端部７０は、信号線７５と、パッド７６と、ブラインドビア７７と、電極７９とを備えている。信号線７５と、パッド７６と、ブラインドビア７７と、電極７９とは、変換部５０Ａの信号線５５Ａと、パッド５６Ａと、ブラインドビア５７Ａと、電極５８Ａ，５９Ａとに対応する。パッド７６及びブラインドビア７７の各々は、それぞれ、パッド５６Ａ及びブラインドビア５７Ａの各々に対応する構成であるため、説明を省略する。
【０１１１】
なお、誘電体層５には、図５に示した開口５ａＡに対応する開口５ａＤが設けられている。また、導体層３には、図５に示した開口３ａＡに対応する開口３ａＤが設けられている。
【０１１２】
信号線７５は、信号線７５の一端部を構成する幅広部７５１と、信号線７５の中途区間を構成する幅狭部７５２と、信号線７５の他端部を構成する導体パッド７５５とを備えている。
【０１１３】
幅広部７５１は、円形である頭部と、頭部の直径よりも幅が狭い首部とからなる。幅狭部７５２は、幅広部７５１に接続された帯状導体であり、幅広部７５１の首部よりも幅が狭い帯状導体である。導体パッド７５５は、長方形の導体片である。
【０１１４】
電極７９は、電極５８Ａ，５９Ａと比較して、より広い領域に形成されている長方形の導体片である。これは、電極７９と導体層３との間に生じる得る抵抗及び寄生インダクタンス成分を更に抑制し、電極７９の電位（接地した状態の電位）を更に安定させるための構成である。なお、誘電体層５の電極７９と重畳する領域には、複数の貫通孔が設けられている。これらの複数の貫通孔の各々には、ビア７８１ｉとして機能する導体が充填されている。複数のビア７８１ｉから成るビア群７８１は、電極７９と導体層３とを短絡する。
【０１１５】
終端部７０は、導体パッド７５５と電極７９とを導通させるための抵抗器７６０を更に備えている。抵抗器７６０の両端は、それぞれ、接続部材（例えば半田）を用いて導体パッド７５５及び電極７９に接続されている。したがって、終端部７０は、終端された変換部である。なお、抵抗器７６０としては、チップ抵抗を好適に用いることができる。
【０１１６】
さらに、幅狭部７５２の中途には、オープンスタブ７５３と、蛇行部７５４とが挿入されている。オープンスタブ７５３は、帯状導体である。オープンスタブ７５３の一端部は、幅狭部７５２の中途に接続されており、オープンスタブ７５３の他端部は、解放されている。蛇行部７５４は、幅狭部７５２と同じ幅を有する帯状導体であり、幅狭部７５２の経路長をより長く確保するために蛇行されている。
【０１１７】
終端部７０は、オープンスタブ７５３の長さと蛇行部の長さを調節することによって、導波路から終端部へ向かう方向（ポート７０１からポート７０２へ向かう方向）を見たときの入力インピーダンスを所望の値に制御することができる。換言すれば、このように構成された終端部７０は、反射を更に抑制することができる。したがって、終端部７０は、方向性結合部３１の第４のポート３１４から結合された高周波信号が終端部７０において反射され、ダイプレクサ１内に反射信号として戻ることを抑制することができる。
【０１１８】
〔第３の実施形態〕
本発明の第３の実施形態に係るダイプレクサについて、図７を参照して説明する。本実施形態に係るダイプレクサ１Ａは、第１の実施形態に係るダイプレクサ１の第２の構成例であり、金属製の導波管を用いて実現される。ダイプレクサ１Ａは、フィルタ対１１Ａと、方向性結合部２１Ａ，３１Ａと、ＢＰＦ４１Ａとを備えている。
【０１１９】
図７の（ａ）、（ｂ）及び（ｃ）は、それぞれ、ダイプレクサ１Ａが備えている方向性結合部２１Ａ、フィルタ対１１Ａ、及びＢＰＦ４１Ａの斜視図である。なお、方向性結合部３１は、方向性結合部２１Ａと同一に構成されているため、ここではその図示を省略する。
【０１２０】
図３及び図４に図示したダイプレクサ１では、ポスト壁導波路の技術を用いて第１の実施形態に係るダイプレクサ１を実現している。しかし、図７に示したダイプレクサ１Ａのように金属製の導波管の技術を用いて本発明の一態様に係るダイプレクサを実現することもできる。
【０１２１】
図７に示したダイプレクサ１Ａの各部材は、それぞれ、図４に示したダイプレクサ１の各部材に対応している。具体的には、ダイプレクサ１Ａの各部材は、それぞれ、その部材番号の末尾から「Ａ」を省略することによって得られるダイプレクサ１の部材に対応する。
【０１２２】
〔第１の実施例〕
図３及び図４に示したダイプレクサ１の実施例として、第１の実施例のダイプレクサ１を用意した。
【０１２３】
第１の実施例のダイプレクサ１は、ＢＰＦ１２，１３の通過帯域として７１−７６ＧＨｚ帯（中心周波数７３．５ＧＨｚ）を採用し、ＢＰＦ４１の通過帯域として８１−８６ＧＨｚ帯（中心周波数８３．５ＧＨｚ）を採用している。そのうえで、図２の（ａ）に示したように、ポートＰ２に対してＲｘ１０２を接続し、ポートＰ３に対してＴｘ１０３を接続した場合に得られたＳパラメータ（シミュレーションにより導出）の周波数依存性を図８の（ａ）に示す。また、図２の（ｂ）に示したように、ポートＰ２に対してＴｘ１０３を接続し、ポートＰ３に対してＲｘ１０２を接続した場合に得られたＳパラメータ（シミュレーションにより導出）の周波数依存性を図８の（ｂ）に示す。
【０１２４】
図８の（ａ）に示したグラフにおいて、Ｓ（１，２）は、ポートＰ１からポートＰ２への透過特性（すなわちアンテナ１０１とＲｘ１０２との透過特性）を示し、Ｓ（２，３）は、ポートＰ２からポートＰ３への透過特性（Ｒｘ１０２とＴｘ１０３との透過特性）を示す。図２の（ａ）に示した接続例を採用した場合、Ｒｘ１０２が受信する受信波の周波数帯域は、８１−８６ＧＨｚ帯であり、Ｔｘ１０３が送信する送信波の周波数帯域は、７１−７６ＧＨｚ帯である。
【０１２５】
図２の（ａ）に示した接続例を採用した場合、８１−８６ＧＨｚ帯において、ダイプレクサ１の特性としては、Ｓ（１，２）は大きく（透過特性がよく）、Ｓ（２，３）は小さい（アイソレーション特性がよい）ことが望まれる。
【０１２６】
図８の（ａ）を参照すれば、８１−８６ＧＨｚ帯におけるＳ（２，３）の値は、最大値で−８３ｄＢであることが分かった。このように、第１の実施例のダイプレクサ１は、ポートＰ２とポートＰ３との間におけるアイソレーション特性が良好であることが分かった。
【０１２７】
図８の（ｂ）に示したグラフにおいて、Ｓ（１，３）は、ポートＰ１からポートＰ３への透過特性（すなわちアンテナ１０１とＲｘ１０２との透過特性）を示し、Ｓ（２，３）は、ポートＰ２からポートＰ３への透過特性（Ｒｘ１０２とＴｘ１０３との透過特性）を示す。図２の（ｂ）に示した接続例を採用した場合、Ｒｘ１０２が受信する受信波の周波数帯域は、７１−７６ＧＨｚ帯であり、Ｔｘ１０３が送信する送信波の周波数帯域は、８１−８６ＧＨｚ帯である。
【０１２８】
図８の（ｂ）を参照すれば、７１−７６ＧＨｚ帯におけるＳ（２，３）の値は、最大値で−５２ｄＢであることが分かった。このように、第１の実施例のダイプレクサ１は、ポートＰ２とポートＰ３との間におけるアイソレーション特性が良好であることが分かった。
【０１２９】
以上のように、本実施例のダイプレクサ１は、図２の（ａ）に示した接続例及び図２の（ｂ）に示した接続例の何れを採用した場合であっても良好なアイソレーション特性を示すことが分かった。なお、図２の（ａ）に示した接続例と、図２の（ｂ）に示した接続例とを比較した場合（図８の（ａ）と（ｂ）とを比較した場合）、図２の（ａ）に示した接続例の方が更に良好なアイソレーション特性を示すことが分かった。すなわち、Ｒｘ１０２は、ポートＰ３よりポートＰ２に接続することが好ましく、Ｔｘ１０３は、ポートＰ２よりポートＰ３に接続することが好ましい。
【０１３０】
第１の実施例のダイプレクサ１からＢＰＦ４１を省略したものを第１の比較例のダイプレクサとして用いた。比較例のダイプレクサに対して、図２の（ｂ）に示したようにポートＰ２に対してＴｘ１０３を接続し、ポートＰ３に対してＲｘ１０２を接続した場合に得られたＳパラメータ（シミュレーションにより導出）の周波数依存性を図１０の（ａ）に示す。
【０１３１】
図１０の（ａ）を参照すれば、７１−７６ＧＨｚ帯におけるＳ（２，３）の値は、最大値で−２０ｄＢまで劣化することが分かった。したがって、図２の（ｂ）の接続例を採用した場合において図８の（ｂ）及び図１０の（ａ）のグラフを比較すれば、ダイプレクサ１がＢＰＦ４１を備えていることによって、ポートＰ２とポートＰ３との間のアイソレーション特性を高められることが分かった。
【０１３２】
第１の比較例のダイプレクサにおいて図２の（ａ）の接続例を採用した場合にも、Ｓ（２，３）の値は、最大値で−２０ｄＢまで劣化することが分かった。したがって、図２の（ａ）の接続例を採用した場合においても、ダイプレクサ１がＢＰＦ４１を備えていることによって、ポートＰ２とポートＰ３との間のアイソレーション特性を高めることが分かった。
【０１３３】
〔第２の実施例〕
図３及び図４に示したダイプレクサ１の実施例として、第２の実施例のダイプレクサ１を用意した。
【０１３４】
第２の実施例のダイプレクサ１は、ＢＰＦ１２，１３の通過帯域として８１−８６ＧＨｚ帯（中心周波数８３．５ＧＨｚ）を採用し、ＢＰＦ４１の通過帯域として７１−７６ＧＨｚ帯（中心周波数７３．５ＧＨｚ）を採用している。そのうえで、図２の（ａ）に示したように、ポートＰ２に対してＲｘ１０２を接続し、ポートＰ３に対してＴｘ１０３を接続した場合に得られたＳパラメータ（シミュレーションにより導出）の周波数依存性を図９の（ａ）に示す。また、図２の（ｂ）に示したように、ポートＰ２に対してＴｘ１０３を接続し、ポートＰ３に対してＲｘ１０２を接続した場合に得られたＳパラメータ（シミュレーションにより導出）の周波数依存性を図９の（ｂ）に示す。
【０１３５】
図９の（ａ）を参照すれば、７１−７６ＧＨｚ帯におけるＳ（２，３）の値は、最大値で−９２ｄＢであることが分かった。また、図９の（ｂ）を参照すれば、８１−８６ＧＨｚ帯におけるＳ（２，３）の値は、最大値で−５１ｄＢであることが分かった。したがって、第２の実施例のダイプレクサ１は、図２の（ａ）及び（ｂ）に示した接続例の何れを採用した場合であっても、ポートＰ２とポートＰ３との間において良好なアイソレーション特性を示すことが分かった。
【０１３６】
なお、図２の（ａ）に示した接続例と、図２の（ｂ）に示した接続例とを比較した場合（図９の（ａ）と（ｂ）とを比較した場合）、図２の（ａ）に示した接続例の方が更に良好なアイソレーション特性を示すことが分かった。すなわち、本実施例においても、Ｒｘ１０２は、ポートＰ３よりポートＰ２に接続することが好ましく、Ｔｘ１０３は、ポートＰ２よりポートＰ３に接続することが好ましい。
【０１３７】
第２の実施例のダイプレクサからＢＰＦ４１を省略したものを第１の比較例のダイプレクサとして用いた。比較例のダイプレクサに対して、図２の（ｂ）に示したようにポートＰ２に対してＴｘ１０３を接続し、ポートＰ３に対してＲｘ１０２を接続した場合に得られたＳパラメータ（シミュレーションにより導出）の周波数依存性を図１０の（ｂ）に示す。
【０１３８】
図１０の（ｂ）を参照すれば、８１−８６ＧＨｚ帯におけるＳ（２，３）の値は、最大値で−１５ｄＢまで劣化することが分かった。したがって、図２の（ｂ）の接続例を採用した場合において図９の（ｂ）及び図１０の（ｂ）のグラフを比較すれば、ダイプレクサ１がＢＰＦ４１を備えていることによって、ポートＰ２とポートＰ３との間のアイソレーション特性を高められることが分かった。
【０１３９】
第２の比較例のダイプレクサにおいて図２の（ａ）の接続例を採用した場合にも、Ｓ（２，３）の値は、最大値で−１５ｄＢまで劣化することが分かった。したがって、図２の（ａ）の接続例を採用した場合においても、ダイプレクサ１がＢＰＦ４１を備えていることによって、ポートＰ２とポートＰ３との間のアイソレーション特性を高めることが分かった。
【０１４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１４１】
１  ダイプレクサ
２  基板（誘電体基板）
３  導体層（導体層４とともに一対の導体層をなす）
４  導体層（導体層３とともに一対の導体層をなす）
５  誘電体層
１１，１１Ａ  フィルタ対
１２  ＢＰＦ（第１のフィルタ）
１２ａ〜１２ｆ  隔壁
１２ａａ〜１２ｆａ  開口
１２１  第１のポート
１２２  第２のポート
１２３  狭壁
１２４〜１２８  共振器
１３  ＢＰＦ（第２のフィルタ）
１３ａ〜１３ｆ  隔壁
１３ａａ〜１３ｆａ  開口
１３１  第１のポート
１３２  第２のポート
１３３  狭壁
１３４〜１３８  共振器
１４  狭壁
２１，２１Ａ  方向性結合部（第１の方向性結合部）
３１  方向性結合部（第２の方向性結合部）
２１１，３１１  第１のポート
２１２，３１２  第２のポート
２１３，３１３  第３のポート
２１４，３１４  第４のポート
２２，２２Ａ，３２  導波路（第１の矩形導波路）
２２１，３２１  狭壁（第２の狭壁）
２２１ａ，３２１ａ  突出部
２３，２３Ａ，３３  導波路（第２の矩形導波路）
２３１，３３１  狭壁（第２の狭壁）
２３１ａ，３３１ａ  突出部
２４，２４Ａ，３４  狭壁（第１の狭壁）
２４ａ，３４ａ  開口
２４ｂ〜２４ｅ，３４ｂ〜３４ｅ  突出部
４１，４１Ａ  ＢＰＦ（第３のフィルタ）
４１ａ〜４１ｆ  隔壁
４１ａａ〜４１ｆａ  開口
４１１  第１のポート
４１２  第２のポート
４１３  狭壁
４１４〜４１８  共振器
５０Ａ  変換部
５０Ｂ  変換部
５５Ａ  信号線
５７Ａ  ブラインドビア
５８Ａ，５９Ａ，７９  電極
５９Ａ  電極
７０  終端部（終端された変換部）
７５  信号線
７７  ブラインドビア
７６０  抵抗器
１０１  アンテナ
１０２  Ｒｘ（受信回路）
１０３  Ｔｘ（送信回路）
【図１】
2018164178.tif 000003
【図２】
2018164178.tif 000004
【図３】
2018164178.tif 000005
【図４】
2018164178.tif 000006
【図５】
2018164178.tif 000007
【図６】
2018164178.tif 000008
【図７】
2018164178.tif 000009
【図８】
2018164178.tif 000010
【図９】
2018164178.tif 000011
【図１０】
2018164178.tif 000012
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
第１の周波数帯域を通過帯域とする第１のフィルタ及び第２のフィルタであって、それぞれが第１のポート及び第２のポートを有する第１のフィルタ及び第２のフィルタが並列に配列されてなるフィルタ対と、
並列に配置された第１のポート及び第２のポート、並びに、並列に配置された第３のポート及び第４のポートを有する第１の方向性結合部であって、前記第１のポートが前記第１のフィルタの第１のポートに接続され、且つ、前記第２のポートが前記第２のフィルタの第１のポートに接続された第１の方向性結合部と、
並列に配置された第１のポート及び第２のポート、並びに、並列に配置された第３のポート及び第４のポートを有する第２の方向性結合部であって、前記第１のポートが前記第１のフィルタの前記第２のポートに接続され、且つ、前記第２のポートが前記第２のフィルタの前記第２のポートに接続された第２の方向性結合部と、
前記第１の周波数帯域とは異なる第２の周波数帯域を通過帯域とする第３のフィルタであって、第１のポート及び第２のポートを有し、当該第１のポートが前記第１の方向性結合部の前記第３のポートに接続された第３のフィルタと、を備えており、
前記第１のフィルタ、前記第２のフィルタ、及び前記第３のフィルタは、それぞれ、互いに直接又は他の共振器を介して結合している第１の共振器及び第２の共振器を備えており、
前記第１の方向性結合部及び前記第２の方向性結合部は、開口が形成された第１の狭壁を共有し、且つ、上記第１の狭壁に対向する第２の狭壁をそれぞれが有する第１の矩形導波路と第２の矩形導波路とを備えており、
前記フィルタ対、前記第３のフィルタ、前記第１の方向性結合部、及び前記第２の方向性結合部の各々を構成する導波路は、単一の誘電体基板の両面に設けられた一対の導体層の各々を第１の広壁及び第２の広壁とし、前記誘電体基板を貫通する複数の導体ポストからなるポスト壁を狭壁とするポスト壁導波路であり、
前記第１の方向性結合部の前記第４のポートに対して結合された第１の変換部と、前記第３のフィルタの前記第２のポートに対して結合された第２の変換部と、前記第２の方向性結合部の前記第３のポートに対して結合された第３の変換部と、前記第２の方向性結合部の前記第４のポートに対して結合された第４の変換部と、を更に備え、
前記第１〜第４の変換部の各々を構成する導波路は、前記一対の導体層の各々を第１の広壁及び第２の広壁とし、前記誘電体基板を貫通する複数の導体ポストからなるポスト壁を狭壁とするポスト壁導波路であり、
前記第１〜第４の変換部の各々の前記第１の広壁には、開口が設けられており、
前記第１〜第４の変換部の各々は、
当該変換部の前記第１の広壁の表面に形成された誘電体層であって、当該第１の広壁の前記開口に重畳する開口を有する誘電体層と、
前記誘電体層の表面に形成された信号線であって、その一端部が当該第１の広壁の前記開口及び前記誘電体層の前記開口に重畳した信号線と、
前記誘電体層の表面に形成された電極であって、前記誘電体層に設けられたビアを介して当該第１の広壁と導通する電極と、
前記信号線の前記一端部に電気的に接続され、前記誘電体基板の内部に形成されたブラインドビアと、を更に備えている、
ことを特徴とするダイプレクサ。
【請求項２】
前記第１の方向性結合部の前記第４のポートは、アンテナを接続するためのアンテナポートであり、
前記第３のフィルタの前記第２のポートは、受信回路を接続するためのＲｘポートであり、
前記第２の方向性結合部の前記第３のポートは、送信回路を接続するためのＴｘポートである、
ことを特徴とする請求項１に記載のダイプレクサ。
【請求項３】
前記第４の変換部は、当該第４の変換部の信号線の他端部と当該第４の変換部の電極とを導通させる抵抗器を更に備えている、
ことを特徴とする請求項１又は２に記載のダイプレクサ。